(57)【特許請求の範囲】
【請求項１】
主桁の上部フランジ部より張り出して設けられる床版張り出し部のコンクリート型枠を支持するための、型枠の張り出し部の下側に配置される大引き材とこの大引き材を斜め下方から支える長さ調節可能な斜材からなる支保工であって、上端が主桁のウェブ中心方向に傾斜してなる斜め縦長孔を有し、かつ、主桁の上部フランジ部の下面に密着して固定されている受け金具を介して、この斜め縦長孔と大引き材の一端部に設けられた通し孔との間に横方向に通しボルト又はピンが挿通されて、大引き材が受け金具に取り付けられていることを特徴とする支保工。
【請求項２】
斜め縦長孔の傾斜角度θ＝２５〜４５゜であることを特徴とする、請求項１に記載の支保工。
【請求項３】
受け金具は、主桁に取り付けられた又は埋め込まれたボルトにナットを締め付けることによって、主桁の上部フランジ部の下面に密着して固定されていることを特徴とする、請求項１又は２に記載の支保工。
【請求項４】
主桁に取り付けられた又は埋め込まれたボルトから主桁のウェブ中心までの距離が、通しボルト又はピンから主桁ウェブ中心までの距離よりも小さいことを特徴とする、請求項３に記載の支保工。
【請求項５】
受け金具は、主桁に取り付けられた又は埋め込まれたナットにボルトを締め付けることによって、主桁の上部フランジ部の下面に密着して固定されていることを特徴とする、請求項１又は２に記載の支保工。
【請求項６】
主桁に取り付けられた又は埋め込まれたナットから主桁のウェブ中心までの距離が、通しボルト又はピンから主桁ウェブ中心までの距離よりも小さいことを特徴とする、請求項５に記載の支保工。
【請求項７】
受け金具は、その下部に固着された固着ナットと、この固着ナットに螺合できる押し上げボルトを有していることを特徴とする、請求項１から６までのいずれかに記載の支保工。
【請求項８】
大引き材の他端部に足場材が取付角度調節可能に連結されていることを特徴とする、請求項１から７までのいずれかに記載の支保工。
【発明の詳細な説明】
【技術分野】
【０００１】
本発明は、橋梁の床版をコンクリート打設する際に、鋼又はコンクリートからなる主桁の上部フランジ部より張り出して設けられるコンクリート床版用型枠の張り出し部を下方から支持するための支保工に関する。
【背景技術】
【０００２】
道路等が架けられる橋梁においては、路盤にはコンクリート床版が用いられるが、そのコンクリート荷重を支持し、かつコンクリート床版用型枠を所定位置に固定するために、通常、水平支保梁が２個の立設された主桁の間に架け渡され、そして、その上にコンクリート床版用型枠が設けられ、さらにコンクリート床版が打設される。
【０００３】
近年、道路等が架けられる橋梁においては、主桁数を減らすとともにコンクリート床版の断面を増大させる傾向にある。その結果、主桁の上部フランジ部より張り出して設けられるコンクリート床版用型枠の張り出し部の張り出し寸法が大きくなり、またコンクリート床版の厚さも従来の橋梁に比べて厚くなっている。
【０００４】
従来から、主桁の上部フランジ部より張り出して設けられるコンクリート床版用型枠の張り出し部を下方から支持するために、コンクリート床版用型枠の張り出し部の下側に配置される大引き材（横腕材ともいう。）と、この大引き材を斜め下方から支える長さ調節可能な斜材からなる支保工が設置されてきた。支保工を構成する大引き材の上部には、根太材を介して、ベニヤ板等からなるコンクリート床版用型枠が設けられ、その上にコンクリートを流し込むことによって、張り出し部を含むコンクリート床版が形成される。
【０００５】
図１は、従来例に係る橋梁のコンクリート床版の一例を示す断面図である。
【０００６】
ここでは、鋼製の主桁１、１が左右に立設されており、そして、主桁１、１のそれぞれ内側に設置されたパイプサポート５、５の上端部間には、水平支保梁４が架け渡されている。コンクリート床版２の型枠３は、２個の主桁１、１によって支持されているが、型枠３は２つの主桁１、１の上部フランジ部１ｂの外側に張り出しており、この張り出し部３ａは、その下側に配置される大引き材６と長さ調節可能な斜材７からなる支保工によって下方から支持されている。すなわち、この型枠の張り出し部３ａの下側には、根太材９を介して、大引き材６が配置されており、この大引き材６は、その一端部において主桁１の上部フランジ１ｂの先端部に取り付けられた吊りボルト１０によって吊り下げられ、そして、非端部において長さ調節可能な斜材７によって下方から支えられている。さらに、この斜材７の下端部は、主桁１のウェブ１ａの下端部と下部フランジ１ｃとの隅部に取付角度自在に取り付けられている。また、主桁１のウェブ１ａ上端部にはチェーン８が取り付けられ、型枠の張り出し部３ａにかかる荷重によって発生する外向きの水平力を打ち消すべく、斜材７を引っ張っている。
【０００７】
コンクリート床版は、このような２個の主桁及びその外側に設置された支保工によって支持された型枠の上にコンクリートを打設することによって形成される。
【０００８】
図２は、主桁の外側に設置された、従来例に係る支保工の一例（側面図）である。
【０００９】
コンクリート床版２の型枠の張り出し部３ａの下側には、根太材９を介して、大引き材６が配置されている。そして、この大引き材６は、その一端部（図では左端部）において、鋼製の主桁１の上部フランジ１ｂの先端部にフランジ接続ピース１２を介して取り付けられた吊りボルト１０によって吊り下げられ、そして、非端部において長さ調節可能な斜材７によって下方から支えられている。この斜材７の下端部は、主桁１のウェブ１ａの下端部と下部フランジ１ｃとの隅部に取付角度自在に取り付けられている。大引き材６の非端部には、斜材７の上端を取付角度自在に連結できる取付金具１３が３個設けられており、そのうちの１個に斜材７の上端が取り付けられている。また、主桁１のウェブ１ａの上端部にはチェーン８が取り付けられ、型枠の張り出し部３ａにかかる荷重によって発生する外向き（図では右向き）の水平力を打ち消すべく、斜材７を引っ張っている。
【００１０】
そして、大引き材６の他端部（図では右端部）の近傍の上側には作業員１４が作業をするための足場板１５が設置されている。また、作業員１４の転落防止のために、大引き材６の他端部（図では右端部）には手摺柱１６と手摺材１７が取り付けられている。
【００１１】
特許文献１には、鋼製の主桁からの型枠の張り出し部の寸法を拡大するとともに、コンクリート床版の重量化に対応できるようにした支保工が提案されている。これは、型枠の張り出し部の下側に配置される大引き材を長さ調節可能にするとともに、その大引き材の下に設けた逆山形のトラス構造を介して、長さ調節可能な斜材で支えるものである。
【００１２】
図３は、特許文献１において提案された、主桁の外側に設置された支保工の側面図である。
【００１３】
コンクリート床版２の型枠の張り出し部３ａの下側には、根太材９を介して、長さ調節可能な大引き材６の一端部（図では左端部）が、受け金具２１を介して、鋼製の主桁１のウェブ１ａの上端部の近傍の側部に固定されている。ここでは、ウェブ１ａを貫通するボルト挿入用の孔が横方向に穿たれており、ここにボルト２２とナットでねじ締めすることによって、受け金具２１がウェブ１ａの上端部の近傍に固定される。型枠の張り出し部３ａにかかる荷重によって外向き（図では右向き）の水平力が発生するが、この外向きの水平力はボルト２２とナットとでねじ締めして得られる内向き（図では左向き）の水平力によって打ち消されるので、大引き材の横方向への動きは拘束される。
【００１４】
そして、この長さ調節可能な大引き材６は、角筒状の外筒部材６ａと、この外筒部材６ａ内に横方向に移動可能に嵌挿される内筒部材６ｂとからなる。外筒部材６ａと内筒部材６ｂのそれぞれ内側の端部には、所要間隔で複数個の孔が穿たれており、両部材６ａ、６ｂに穿たれた孔からそれぞれ１個を選択し、ピン（図示せず）を貫通させて挿着して、両部材６ａ、６ｂの位置を固定することによって、大引き材６の長さを所定長さに調節することができるものである。
【００１５】
また、この長さ調節可能な大引き材の外筒部材６ａの左端部近傍と内筒部材６ｂの非端部には、それぞれ、固定長さの斜材１１及び長さ調節可能な斜材７の上端部がピン結合されるとともに、固定長さの斜材１１及び長さ調節可能な斜材７のそれぞれの下端部同士がブラケット１８にピン接合されることによって、逆山形のトラス構造が形成されている。なお、逆山形のトラス構造を構成する長さ調節可能な斜材７の上端部は内筒部材６ｂに設けられた取付金具１３に、取付角度自在に取り付けられている。さらに、この逆山形のトラス構造は、外筒部材６ａの右端部近傍とブラケット１８とをつなぐ補強杆１９によって補強されている。
【００１６】
そして、この長さ調節可能な大引き材６と固定長さの斜材１１と長さ調節可能な斜材７とで構成される逆山形トラス構造の頂部にあるブラケット１８は、長さ調節可能な斜材７によって下方から支えられている。逆山形トラス構造を介して、この長さ調節可能な大引き材６を下方から支える長さ調節可能な斜材７の下端部は、主桁１のウェブ１ａの下端部と下部フランジ１ｃとの隅部に設けられた取付金具１３に、取付角度自在に取り付けられている。
【００１７】
図４は、図３で示された特許文献１において提案された支保工の一部拡大図であり、固定構造として受け金具方式を採用したものである。
【００１８】
鋼製の主桁１のウェブ１ａの上端部の近傍の側面に、受け金具２１を横方向の取り付けボルト２２及びナット２７で固定する。
【００１９】
受け金具２１は、取付基板２１ａの前面下部に台板２１ｂを突設するとともに、この台板２１ｂより上方の左右両側に側板２１ｃをそれぞれ突設したものであって、取付基板２１ａにはボルト挿通孔２９を上下に間隔をおいて複数設けている。そして、台板２１ｂ上に固着ナット２３を溶接により固着し、また２つの側板２１ｃのそれぞれには縦長孔２５を設けている。また、主桁１のウェブ１ａの上端部の近傍には、横方向の取り付けボルト２２を挿通させる横ボルト挿通孔３０が穿たれている。
【００２０】
この受け金具２１の取り付けにあたっては、取付基板２１ａに穿たれたボルト挿通孔２９のうちの一つと、主桁１のウェブ１ａの上端部の近傍に穿たれたボルト挿通孔３０とに、取り付けボルト２２を通してナット２７で締め付けることにより、この受け金具２１を主桁１のウェブ１ａの上端部の近傍の所要位置に取り付けるとともに固定する。
【００２１】
このようにして主桁１のウェブ１ａの上端部の近傍の側面に取り付けた受け金具２１の２つの側板２１ｃの間に、大引き材６の外筒部材６ａの左端部を挿入する。大引き材６の外筒部材６ａの両側面の左端部には通し孔（図示せず）が穿たれており、受け金具２１の側板２１ｃの両方に設けた縦長孔２５と、大引き材６の外筒部材６ａの両側面の左端部に設けた通し孔（図示せず）とに通しボルト２６を挿し通した後に、ナット（図示せず）で抜け止めして、大引き材６の外筒部材６ａの左端部の横方向の動きを拘束する。
【００２２】
そして、受け金具２１の台板２１ｂ上に固着された固着ナット２３に、その下方より押し上げボルト２４を螺入して、この押し上げボルト２４の先端部でもって大引き材６の外筒部材６ａの左端部の下面を支持する。そして、この状態で押し上げボルト２４を上下させることによって、大引き材６の外筒部材６ａの左端部の高さレベルを調整することができる。
【００２３】
なお、ここでは、受け金具２１の取り付け時に主桁１のウェブ１ａと接触する取付基板２１ａの背面には、主桁１の塗装面を保護する目的で、ネオプレンゴム等のシート材３１が貼着されている。また、押し上げボルト２４の上端部が当たる外筒部材６ａの外端部下面には当て板３２が取り付けられている。
【００２４】
また、大引き材６の外筒部材６ａの左端部の上面には、主桁１の上部フランジ部１ｂの下面に押し当てる突っ張り材（当てボルトともいう。）３３が突設され、その上端部には、上部フランジ部１ｂの下面に吸着するような形状の吸着カップ３４が取り付けてある。これは、大引き材６の先端に作業員１４等の作業荷重がかかることによって大引き材の端部の跳ね上がりが発生するのを防止するために設置されている。その結果、大引き材の端部の上下方向の動きが拘束されるので、大引き材の端部がガタつくのを防止することができる。
【００２５】
図５は、特許文献１において提案された他の実施形態にかかる支保工の一部拡大図であり、固定構造として、受け金具方式に代えて、吊りボルト方式を採用したものである。
【００２６】
鋼製の主桁１の上部フランジ１ｂの先端部の上面に溶接によって固着したフランジ接続ピース１２より吊りボルト１０を垂下し、この吊りボルト１０を大引き材６の外筒部材６ａの左端部に縦方向に穿ったボルト挿通孔３５に貫通させて、この吊りボルト１０の下端部に受けナット３７をねじ止めすることによって、大引き材６の外筒部材６ａの左端を支持するようにしている。
【００２７】
この吊りボルト方式の場合、吊りボルト１０には型枠の張り出し部３ａにかかる荷重によって外向き（図では右向き）の水平力が発生することから、大引き材６の外筒部材６ａの左端部を、引張金具３８を介して主桁１のウェブ１ａの上端部に取り付けることで、吊りボルト１０にかかる外向き（図では右向き）の水平力を打ち消している。この引張金具３８の右端部は、大引き材６の外筒部材６ａの左端部にボルト止めされ、引張金具３８の左端部は主桁１のウェブ１ａと上部フランジ部１ｂとの隅部に固着された取付板３９にボルト止めされている。
【００２８】
また、大引き材６の外筒部材６ａの左端部の上面には、主桁１の上部フランジ部１ｂの下面に押し当てる突っ張り材３３が突設され、その上端部には、上部フランジ部１ｂの下面に吸着するような形状の吸着カップ３４が取り付けてある。これは、大引き材６の先端に作業員１４等の作業荷重がかかることによって大引き材の端部の跳ね上がりが発生するのを防止するために設置されている。その結果、大引き材の端部の上下方向の動きが拘束されるので、大引き材の端部がガタつくのを防止することができる。
【００２９】
【特許文献１】特開２００４−６０３１２号公報
【発明の開示】
【発明が解決しようとする課題】
【００３０】
しかしながら、図１、図２及び図５に示される支保工は、いずれも、大引き材６の主桁側の一端部が、鋼製の主桁の上部フランジ部１ｂに取り付けられた吊りボルト１０によって吊り下げられている。しかし、吊りボルト１０には型枠の張り出し部３ａにかかる荷重によって外向きの水平力が発生する。このままでは、大きなモーメントが発生して、吊りボルト１０が曲がるおそれがあるので、図１〜２に示される支保工においては、主桁１のウェブ１ａの上端部にはチェーン８が取り付けられ、型枠の張り出し部３ａにかかる荷重によって発生する外向きの水平力を打ち消すべく、長さ調節可能な斜材７を引っ張っている。また、図５に示される支保工においては、大引き材６の外筒部材６ａの左端部を、引張金具３８を介して主桁１のウェブ１ａの上端部に取り付けることで、吊りボルト１０にかかる外向きの水平力を打ち消している。
【００３１】
次に、図３及び図４に示される支保工は、大引き材６の主桁側の一端部（図では左端部）が、受け金具２１を介して、鋼製の主桁１のウェブ１ａの上端部の近傍に横方向の取り付けボルト２２とナットによって固定されている。型枠の張り出し部３ａにかかる荷重によって外向き（図では右向き）の水平力が発生するが、横方向の取り付けボルト２２の長さ方向に引張力がかかるだけであるので、この取り付けボルト２２が曲がるおそれはない。また、型枠の張り出し部３ａにかかる荷重によって下向きの垂直力が発生して、横方向の取り付けボルト２２には剪断力がかかるだけであるから、この取り付けボルト２２が曲がるおそれはない。
【００３２】
しかしながら、大引き材６の先端に作業員１４等の作業荷重がかかることによって大引き材の端部の跳ね上がりが発生し、その結果、大引き材６の端部がガタつくようになる。これを防止するために、大引き材６の外筒部材６ａの左端部の上面には、主桁１の上部フランジ部１ｂの下面に押し当てる突っ張り材３３を突設し、その上端部には、上部フランジ部１ｂの下面に吸着するような形状の吸着カップ３４を取り付けることによって、大引き材６の端部の上下方向の動きを拘束している。
【００３３】
この大引き材６の端部の跳ね上がりは、図５に示される支保工においても発生し、その結果、大引き材の端部がガタつくようになる。これを防止するために、大引き材６の外筒部材６ａの左端部の上面には、主桁１の上部フランジ部１ｂの下面に押し当てる突っ張り材３３を突設し、その上端部には、上部フランジ部１ｂの下面に吸着するような形状の吸着カップ３４を取り付けることによって、大引き材の端部の上下方向の動きを拘束している。
【００３４】
このように、従来例に係る支保工は、大引き材の一端部を保持するために、吊りボルト方式を採用した場合には、吊りボルトの曲がりを防止すべく、型枠の張り出し部にかかる荷重によって発生する外向きの水平力に対抗するために、調整の面倒な吊りチェーンを設けるか又は引張金具を設ける必要がある。
【００３５】
そして、従来例に係る支保工は、大引き材の一端部を保持するために、受け金具方式を採用した場合には、受け金具は横方向の取り付けボルトとナットによって固定されるから、外向きの水平力によってこの取り付けボルトが曲がるおそれはないものの、大引き材の端部の跳ね上がりが発生し、その結果、大引き材の端部がガタつくようになる。これを防止するために、突っ張り材を突設する必要がある。
【００３６】
さらに、従来例に係る支保工は、作業員が大引き材の他端部の上面に設置された足場板の上で作業することになるが、橋梁が掛けられる道路等の断面傾斜が急であるときは、大引き材の傾斜角度もそれに応じて急になる。したがって、作業員が作業する足場板の踏面角度も急になるから、足場板の上で作業がし難くなるという問題に加えて、作業員の安全上の問題がある。
【００３７】
本発明は、このような問題点を解決するためになされたものであって、吊りチェーンと突っ張り材のいずれをも不要とする支保工を提供することを第一の目的とする。さらに、必要に応じて作業員が作業する足場板の踏面を略水平に保持できる支保工を提供することを第二の目的とする。
【課題を解決するための手段】
【００３８】
本発明者は、吊りチェーンと突っ張り材のいずれも不要とする支保工について、種々に検討した。さらに、作業員が作業する足場板の踏面を略水平に保持できる支保工についても、種々に検討した。その結果、次の(a)〜(j)の知見を得た。
【００３９】
(a) 鋼製の主桁の上部フランジ部より張り出して設けられるコンクリート床版用型枠の張り出し部が大型化すると、その分、この型枠の張り出し部の下側に横方向に配置する大引き材も大型化し、重量も大きくなる。しかしながら、大引き材が大型化しても、コンクリート床版用型枠の張り出し部を支持するための支保工としては、型枠の張り出し部の下側に横方向に配置される大引き材とこの大引き材を斜め下方から支える長さ調節可能な斜材から構成し、大引き材の一端部を受け金具を介して主桁に固定するとともに、この大引き材を斜め下方から斜材で支えるという基本的なコンセプトは維持してよい。
【００４０】
また、この支保工の基本的なコンセプトは、鋼製の主桁の上部フランジ部より張り出して設けられるコンクリート床版用型枠の張り出し部を支持するための支保工だけでなく、コンクリート製の主桁の上部フランジ部より張り出して設けられるコンクリート床版用型枠の張り出し部を支持するための支保工にも適用することができる。
【００４１】
(b) そして、大引き材を斜め下方から支える長さ調節可能な斜材は、その上端部は大引き材の他端部又は非端部に取付角度自在に連結され、かつ斜材の下端部は主桁のウェブ部又は下部フランジ部に取付角度自在に取り付けられるのが好ましい。斜材の長さを可変とする手法に特に制限はなく、たとえば、中空の外筒部材とこの外筒部材の中にスライド可能に挿入される内筒部材から構成してなる斜材とすることができる。あるいは、ねじジャッキ又は油圧ジャッキを斜材の途中に組み込んで、長さ可変としてもよい。さらには、これらを組み合わせて、斜材の長さを可変としてもよい。また、大引き材は固定長さであってもよいし、又は可変長さであってもよい。大引き材を可変長さとした場合には、図３にみるごとく、逆山形トラス構造を介して、長さ調節可能な斜材で大引き材を斜め下方から支えてもよい。
【００４２】
(c) ボルトは曲げ応力に弱いが剪断応力には強いことを考慮すると、大引き材の一端部を主桁に取り付ける際には、大引き材の端部を主桁と離間させることになる吊りボルトは用いるべきではなく、主桁と密着させてボルトによって固定できる受け金具を用いるべきである。
【００４３】
この際、大引き材の端部を取り付ける受け金具を主桁と密着させるべき受け金具は、主桁のウェブの上端部の側面に密着して固定する場合と、主桁の上部フランジの下面に密着して固定する場合の２通りが考えられる。
【００４４】
主桁のウェブの上端部の側面に受け金具を密着して固定する場合には、型枠の張り出し部にかかる荷重によって外向きの水平力が発生するが、横方向にボルトが取り付けられるので、取り付けボルトの長さ方向に引張力がかかるだけであるので、この取り付けボルトが曲がるおそれはない。また、型枠の張り出し部３ａにかかる荷重によって下向きの垂直力が発生して、横方向の取り付けボルトには剪断力がかかるだけであるから、この取り付けボルトが曲がるおそれはない。
【００４５】
また、主桁の上部フランジの下面に密着して固定する場合には、型枠の張り出し部にかかる荷重によって外向きの水平力が発生しても、縦方向にボルトが取り付けられるので、取り付けボルトには剪断力がかかるだけであるから、この取り付けボルトが曲がるおそれはない。また、型枠の張り出し部３ａにかかる荷重によって下向きの垂直力が発生するが、取り付けボルトの長さ方向に引張力がかかるだけであるので、この取り付けボルトが曲がるおそれはない。
【００４６】
(d) このように、大引き材の端部は主桁に密着させた受け金具に取り付けることができる。そして、受け金具を主桁に取り付けるための取り付けボルトは、主桁と密着させるため、横方向と縦方向のいずれで用いても、曲がるおそれはない。
【００４７】
受け金具をボルトによって主桁に取り付ける際には、横方向又は縦方向のいずれで用いられるにせよ、主桁に予め取り付けられた又は埋め込まれたボルトにナットを締め付けてもよいし、又は、主桁に予め取り付けられた又は埋め込まれたナットにボルトを螺入して締め付けてもよい。なお、主桁が鋼製のときは、ボルトの挿入孔を主桁のウェブの上端部を横方向に穿つか又は主桁の上部フランジに縦方向に穿つことになる。また、主桁がコンクリート製のときは、アンカーボルト又はアンカーナットを主桁のウェブの上端部に横方向に埋め込むか又は主桁の上部フランジに上方向に埋め込むことになる。
【００４８】
ただし、この支保工は、型枠の張り出し部へのコンクリート打設後は解体されて撤去されることを考慮すると、主桁に取り付けられた又は埋め込まれたナットにボルトを締め付ける手法を採用するのが好ましい。この場合、主桁に取り付けられた又は埋め込まれたナットは主桁に残るが、このナットに螺入したボルトは除去できるから、支保工の撤去後には主桁からの突出物がなくなるから、景観面から好ましいからである。なお、コンクリート製主桁に取り付けられる又は埋め込まれるナットとしては、インサートナットを用いるのが好ましい。
【００４９】
(e) 次に、大引き材の端部の跳ね上がりの発生の防止に関しては、主桁のウェブの上端部の側面に密着して固定する受け金具方式による固定構造が図３及び４に示されている。これは、受け金具２１の側板２１ｃの両方に設けた縦長孔２５と、大引き材６の左端部に設けた通し孔（図示せず）とに通しボルト２６を挿し通した後に、ナット（図示せず）で抜け止めして、大引き材６の左端部の横方向の動きを拘束するものである。しかしながら、大引き材６の左端部の縦方向の動きを拘束していないために、大引き材の端部の跳ね上がりが発生することが分かった。
【００５０】
すなわち、図３及び４で示される受け金具方式による固定構造では、受け金具２１の側板２１ｃには縦長孔２５が設けられているがために、大引き材６の左端部の横方向の動きは拘束するが、縦方向の動きは拘束していないのが、その理由である。
【００５１】
ここで、本発明者らは、受け金具方式による固定構造にあっては、その側板に設けられる縦長孔の角度を傾斜させれば、大引き材６の左端部の横方向の動きだけでなく、縦方向の動きをも拘束することができることに思い至り、もって大引き材の端部の跳ね上がりの発生を防止することができることを見出した。具体的には、主桁のウェブの上端部の側面に密着して固定する受け金具方式による固定構造において、受け金具２１の側板２１ｃに縦長孔２５を設けることに代えて、上端が主桁のウェブ中心方向に傾斜角度θだけ傾斜してなる斜め縦長孔を設けることによって、大引き材６の左端部の横方向の動きを拘束するだけでなく、縦方向の動きをも拘束することができることを見出した。
【００５２】
(f) 本発明者らは、主桁のウェブの上端部の側面に密着して固定する受け金具方式による固定構造において、上端が主桁方向に傾斜角度θだけ傾斜してなる斜め縦長孔を設けるとの着想を、主桁の上部フランジの下面に密着して固定する受け金具方式による固定構造にも適用したところ、大引き材６の左端部の横方向の動きと縦方向の動きの両方を拘束することによって、大引き材の端部の跳ね上がりの発生を防止することができることに加えて、縦方向に取り付けられるボルトの長さ方向にかかる引抜力を軽減させることができることを見出した。
【００５３】
なお、この受け金具方式による固定構造では、斜め縦長孔と、大引き材の左端部に設けた通し孔との間に通しボルトを挿し通し、ナットで固定する代わりに、Ｌピンなどのピンを用いて、大引き材の左端部の横方向の動きと縦方向の動きを拘束してもよい。
【００５４】
(g) まず、主桁の上部フランジの下面に密着して固定する受け金具方式による固定構造における大引き材の端部の跳ね上がりの発生状況について、受け金具の側板に縦長孔（θ＝０゜）を設けた場合と斜め縦長孔（θ＝３０゜）を設けた場合とでどのように異なるかを検証してみる。ここでは、通しボルトに代えて、Ｌピンを用いた。
【００５５】
図６は、受け金具の側板に縦長孔（θ＝０゜）を設けた場合の大引き材の端部の跳ね上がりの発生状況を示す。コンクリート打設前には大引き材の先端に作業員１４等の作業荷重が作用するので、大引き材と大引き材を下方から支える斜材との交差部を支点として、跳ね上がり（上向き）の力Ｆ２Ｖが発生する。これに対して、跳ね上がりに抵抗する力は、Ｆ２Ｈ×（摩擦係数）である。図示されるように、Ｆ２Ｖ＞Ｆ２Ｈ×（摩擦係数）であるから、跳ね上がりが発生することがわかる。
【００５６】
図７は、受け金具の側板に縦長孔（θ＝３０゜）を設けた場合の大引き材の端部の跳ね上がりの発生状況を示す。コンクリート打設前には大引き材の先端に作業員１４等の作業荷重が作用するので、大引き材と大引き材を下方から支える斜材との交差部を支点として、跳ね上がり（上向き）の力Ｆ２Ｖが発生する。これに対して、跳ね上がりに抵抗する力は、Ｆ２Ｈ×（摩擦係数）である。図示されるように、Ｆ２Ｖ＜Ｆ２Ｈ×（摩擦係数）であるから、跳ね上がりは発生しないことがわかる。
【００５７】
(h) このように、受け金具方式による固定構造を採用し、その側板に設けられる縦長孔に代えて、その上端を主桁のウェブ中心方向に角度θだけ傾斜させてなる斜め縦長孔を設けることによって、Ｆ２Ｖ＜Ｆ２Ｈ×（摩擦係数）であれば、大引き材の端部の跳ね上がりの発生を防止することができ、もって、大引き材６の左端部がガタ付くことがないことが分かった。
【００５８】
そして、本発明者らは、Ｆ２Ｖ＜Ｆ２Ｈ×（摩擦係数）となる条件について種々に検討した結果、斜め縦長孔に挿し通されたピンの節点と大引き材を斜め下方から支える長さ調節可能な斜材の下端との間の垂直距離Ｈによって多少の変動はあるが、支保工として一般的によく用いられる垂直距離Ｈ＝１８００ｍｍのときは、上端が主桁のウェブ中心方向に傾斜してなる斜め縦長孔の傾斜角度をθ＝２５゜より大きくするのが好ましいことが分かった。また、傾斜角度がθ＝４５°を上回ると長孔が横向きになってきて縦長孔本来の目的である大引き材６の高さレベル調整機能が損なわれるため、斜め縦長孔の傾斜角度はθ＝２５〜４５°とするのが好ましいことが分かった。
【００５９】
(i) 次に、主桁の上部フランジの下面に密着して固定する受け金具方式による固定構造において、縦方向に取り付けられるボルトの長さ方向にかかる引抜力を軽減させることができることについて、説明する。なお、ここでは、コンクリート製の主桁を例にとって説明するが、鋼製の主桁にも適用できることはいうまでもない。
【００６０】
図８は、コンクリート製の主桁の上部フランジの下面に密着して固定する受け金具方式による固定構造の支保工において、受け金具に掛かる水平荷重と鉛直荷重を示している。
【００６１】
ここで、Ｐは斜材の上端に掛かる荷重（ｋＮ）、Ｌは斜材の上端に掛かる荷重Ｐが作用する位置（ｃｍ）、Ｈは斜め縦長孔に挿し通されたピンの節点と斜材の下端との間の垂直距離（ｃｍ）である。
【００６２】
このとき、斜材の上端に作用するモーメントＭは
Ｍ＝Ｐ×Ｌ（ｋＮ・ｃｍ）
であり、そして、受け金具の斜め縦長孔に挿し通されたピンの節点に作用する荷重は、水平方向の荷重ＰＨと鉛直方向の荷重ＰＶとに分けると、それぞれ、
ＰＨ＝Ｍ／Ｈ（ｋＮ）
ＰＶ＝Ｐ（ｋＮ）
となる。
【００６３】
図９は、受け金具をコンクリート製の主桁の上部フランジの下面に密着して固定する受け金具方式として、アンカーボルトの位置と鉛直方向の荷重ＰＶが作用する位置が７５ｍｍ偏心している場合に、受け金具の斜め縦長孔に挿し通されたピンの節点に作用する水平方向の荷重ＰＨと鉛直方向の荷重ＰＶを示している。
【００６４】
このようにアンカーボルトの位置と鉛直方向の荷重ＰＶが作用する位置が７５ｍｍ偏心している場合には、水平方向の荷重ＰＨにより作用するモーメントと鉛直方向の荷重ＰＶにより作用するモーメントが互いに打ち消し合うため、アンカーボルトに作用する荷重は小さくなる。
【００６５】
図１０は、(a)が水平方向の荷重ＰＨについて、そして、(b)が鉛直方向の荷重ＰＨについて、それぞれ、アンカーボルトを基点として回転する方向を表す。
【００６６】
(a)においてはアンカーボルトを基点として反時計回りに回転し、そして、(b)においてはアンカーボルトを基点として時計回りに回転するので、両モーメントが相殺し合って、アンカーボルトに作用する荷重は小さくなることが分かる。
【００６７】
次に、アンカーボルトに作用する荷重について、検証してみる。
【００６８】
水平方向の荷重ＰＨを１０ｋＮ、鉛直方向の荷重ＰＶを２ｋＮ、そして、アンカーボルトからピン位置までの鉛直距離ｈを１０ｃｍとすると、
反時計回りに作用するモーメントＭ１は、水平方向の荷重ＰＨによって発生し、その値は次のとおりになる。
【００６９】
Ｍ１＝ＰＨ×ｈ＝１０ｋＮ×１０ｃｍ＝１００ｋＮ・ｃｍ
そして、時計回りに作用するモーメントＭ２は、鉛直方向の荷重ＰＶによって発生し、その値は、次のとおりになる。
【００７０】
Ｍ２＝ＰＶ×７．５ｃｍ＝２ｋＮ×７．５ｃｍ＝１５ｋＮ・ｃｍ
Ｍ１＞Ｍ２であるから反時計回りのモーメントが発生するが、時計回りのモーメントの分だけ相殺されるので、反時計回りのモーメントＭの値は、次のとおりになる。
【００７１】
Ｍ＝Ｍ１−Ｍ２＝１００−１５＝８５ｋＮ・ｃｍ
この相殺後のモーメントＭによってアンカーボルトに作用する引抜力Ｐ１は次のとおりとなる。
【００７２】
Ｐ１＝Ｍ／１４．５＝８５／１４．５＝５．８６ｋＮ
そして、アンカーボルトには、もともと鉛直方向の荷重ＰＶ（＝Ｐ（ｋＮ））が掛かっているから、アンカーボルトに作用する総引抜力ΣＰは次のとおりになる。
【００７３】
ΣＰ＝ＰＶ＋Ｐ１＝２＋５．８６＝７．８６ｋＮ
比較のために、受け金具をコンクリート製の主桁の上部フランジの下面に密着して固定する受け金具方式として、アンカーボルトの位置と鉛直方向の荷重ＰＶが作用する位置が偏心していない場合についても検証する。
【００７４】
図１１は、アンカーボルトの位置と鉛直方向の荷重ＰＶが作用する位置が偏心していないこと、すなわち、アンカーボルトの位置と鉛直方向の荷重ＰＶが作用する位置が同一の鉛直線上にあることを示している。
【００７５】
この場合のアンカーボルトに作用する荷重について、検証してみる。
【００７６】
図１０と同様に、水平方向の荷重ＰＨを１０ｋＮ、鉛直方向の荷重ＰＶを２ｋＮ、そして、アンカーボルトからピン位置までの鉛直距離ｈを１０ｃｍとすると、
反時計回りに作用するモーメントＭ１は、水平方向の荷重ＰＨによって発生し、その値は次のとおりになる。
【００７７】
Ｍ１＝ＰＨ×ｈ＝１０ｋＮ×１０ｃｍ＝１００ｋＮ・ｃｍ
しかしながら、次のとおり、鉛直方向の荷重ＰＶによって時計回りに作用するモーメントＭ２は発生しない。すなわち、
Ｍ２＝ＰＶ×０ｃｍ＝２ｋＮ×０ｃｍ＝０ｋＮ・ｃｍ
Ｍ２＝０ｋＮ・ｃｍであるから、反時計回りのモーメントＭの値は、相殺されることがないので、次のとおりになる。
【００７８】
Ｍ＝Ｍ１−Ｍ２＝１００−０＝１００ｋＮ・ｃｍ
この反時計回りのモーメントＭによってアンカーボルトに作用する引抜力Ｐ１は次のとおりとなる。
【００７９】
Ｐ１＝Ｍ／１４．５＝１００／１４．５＝６．９ｋＮ
そして、アンカーボルトには、もともと鉛直方向の荷重ＰＶ（＝Ｐ（ｋＮ））が掛かっているから、アンカーボルトに作用する総引抜力ΣＰは次のとおりになる。
【００８０】
ΣＰ＝ＰＶ＋Ｐ１＝２＋６．９＝８．９ｋＮ
このように、アンカーボルトの位置と鉛直方向の荷重ＰＶが作用する位置が偏心している場合には、アンカーボルトに作用する引抜力を小さくすることができる。ただし、アンカーボルトから主桁のウェブ中心までの距離が、ピンから主桁ウェブ中心までの距離よりも小さいことが必要となる。アンカーボルトから主桁のウェブ中心までの距離が、ピンから主桁ウェブ中心までの距離よりも大きい場合には、アンカーボルトに作用する引抜力は、逆に大きくなってしまう。
【００８１】
(j) さらに、橋梁が掛けられる道路等の断面傾斜が急である場合には、大引き材の傾斜角度もそれに応じて急になり、作業員が作業する足場板の踏面角度も急になるという問題点に関しては、橋梁が掛けられる道路等の断面傾斜の角度にかかわらず、足場板の踏面を略水平に保つことができれば解決する。したがって、必要に応じて、大引き材の端部に足場材を取付角度調節可能に連結し、この足場材の上に足場板を設置すればよい。
【００８２】
足場材を取付角度調節可能に連結する方法としては、例えば、複数個の角度調整孔を有し、足場材及び／又は大引き材に対して回転自在なつなぎ材を介して、大引き材の先端に足場材を連結し、その上に設置された足場板の踏面が略水平になるように角度調整孔の一つを選択してピン止めすればよい。
【００８３】
本発明にかかる支保工は、これらの知見に基づいて完成したものであり、その要旨は次の(1)〜(8)に記載したとおりである。
【００８４】
(1)主桁の上部フランジ部より張り出して設けられる床版張り出し部のコンクリート型枠を支持するための、型枠の張り出し部の下側に配置される大引き材とこの大引き材を斜め下方から支える長さ調節可能な斜材からなる支保工であって、上端が主桁のウェブ中心方向に傾斜してなる斜め縦長孔を有し、かつ、主桁の上部フランジ部の下面に密着して固定されている受け金具を介して、この斜め縦長孔と大引き材の一端部に設けられた通し孔との間に横方向に通しボルト又はピンが挿通されて、大引き材が受け金具に取り付けられていることを特徴とする支保工。
【００８５】
(2) 斜め縦長孔の傾斜角度θ＝２５〜４５゜であることを特徴とする、上記(1)の支保工。
【００８６】
(3) 受け金具は、主桁に取り付けられた又は埋め込まれたボルトにナットを締め付けることによって、主桁の上部フランジ部の下面に密着して固定されていることを特徴とする、上記(1)又は(2)の支保工。
【００８７】
(4) 主桁に取り付けられた又は埋め込まれたボルトから主桁のウェブ中心までの距離が、通しボルト又はピンから主桁ウェブ中心までの距離よりも小さいことを特徴とする、上記(3)の支保工。
【００８８】
(5) 受け金具は、主桁に取り付けられた又は埋め込まれたナットにボルトを締め付けることによって、主桁の上部フランジ部の下面に密着して固定されていることを特徴とする、上記(1)又は(2)の支保工。
【００８９】
(6) 主桁に取り付けられた又は埋め込まれたナットから主桁のウェブ中心までの距離が、通しボルト又はピンから主桁ウェブ中心までの距離よりも小さいことを特徴とする、上記(5)の支保工。
【００９０】
(7) 受け金具は、その下部に固着された固着ナットと、この固着ナットに螺合できる押し上げボルトを有していることを特徴とする、上記(1)〜(6)のいずれかの支保工。
【００９１】
(8) 大引き材の他端部に足場材が取付角度調節可能に連結されていることを特徴とする、上記(1)〜(7)のいずれかの支保工。
【発明の効果】
【００９２】
本発明に係る支保工は、調整の面倒な吊りチェーンと突っ張り材のいずれをも不要とするものであって、大引き材の端部を主桁の上部フランジ部の下面に密着させてボルトによって固定できる受け金具を用いるから、型枠の張り出し部にかかる荷重によって発生する外向きの水平力に対抗できるとともに、受け金具は上端が主桁のウェブ中心方向に傾斜してなる斜め縦長孔を有するから、大引き材の端部の跳ね上がりの発生を防止できることに加えて、縦方向に取り付けられるボルトの長さ方向にかかる引抜力を軽減させることができる。
【００９３】
また、必要に応じて、大引き材の端部に足場材を取付角度調節可能に連結することができるから、橋梁が掛けられる道路等の断面傾斜が急である場合には、この足場材の上に足場板を設置することで、作業員が作業する足場板の踏面を略水平に保つことができ、作業員の安全を図ることができる。
【発明を実施するための最良の形態】
【００９４】
本発明に係る支保工を、以下に図面を用いて説明する。なお、本発明は以下の実施例に限定されるものではない。
【実施例１】
【００９５】
図１２は、コンクリート製の主桁の外側に設置された、本発明に係る支保工の一例（側面図）であり、図１３は図１２で示された大引き材の主桁側の端部近傍の一部拡大図である。
【００９６】
コンクリート製の主桁１の上部フランジ１ｂの下面にはインサートナット５２が縦方向に埋め込まれており、このインサートナット５２に縦方向に取り付けボルト２２をねじ締めすることによって、主桁１の上部フランジ部１ｂの下面に密着して受け金具２１が固定されている。この受け金具２１の両側面には、上端が主桁のウェブ中心方向に傾斜してなる斜め縦長孔５３が、それぞれ設けられている。なお、斜め縦長孔５３の傾斜角度θは３０゜である。
【００９７】
一方、コンクリート床版２の型枠の張り出し部３ａの下側には、根太材９を介して、大引き材６が配置されている。この大引き材６の端部の両側面には、それぞれ接続板４１が溶接されている。これらの接続板４１には、それぞれ通し孔（図示せず）が穿たれており、これらの接続板４１はいずれも受け金具２１の内部に収容されたのち、受け金具に設けられた斜め縦長孔５３と接続板４１に穿たれた通し孔に、１個のＬピン５４を挿し通すことによって、大引き材６の端部が浮き上がらないように受け金具２１に保持する。
【００９８】
また、この受け金具２１の下部には、高さレベル調節金具５５が溶接されており、高さレベル調節金具５５の下部に固着された固着ナット２３と、この固着ナット２３に螺合されて上下移動可能な押し上げボルト２４を備えている。一方、この大引き材６の端部には、台座金具５６が横方向に溶接されており、この台座金具５６をこの押し上げボルト２４の上面に差し込むことによって、大引き材６の端部の高さレベル調節を調整することができる。
【００９９】
そして、大引き材６の非端部には取付金具１３が設けられ、ここに長さ調節可能な斜材７の上端が取付角度自在に取り付けられている。この長さ調節可能な斜材７は、中空の外筒部材７ａとこの外筒部材の中にスライド可能に挿入される内筒部材７ｂから構成されており、両部材７ａ、７ｂに穿たれた孔からそれぞれ１個を選択し、ピン（図示せず）を貫通させて挿着して、両部材７ａ、７ｂの位置を固定することで長さ調節可能となっている。さらに、この斜材７はねじジャッキ３６を斜材７の途中に組み込んでおり、このねじジャッキ３６を操作することによっても長さ調節可能となっている。
【０１００】
また、長さ調節可能な斜材７の下端には取付角度自在の取付金具１３が接続されている。一方、主桁１の下部フランジ１ｃの上面にはインサートナット５２が斜め方向に埋め込まれており、ここに長さ調節可能な斜材７の下端に設けられた取付金具１３を取り付けボルト２２で固定することによって、大引き材６を下方から支えている。
【０１０１】
さらに、大引き材６の他端部には、足場材２０が足場材取付金具５８を介して連結されている。足場材２０の上には作業員１４が作業をするための足場板１５が設置されているが、この足場材取付金具５８は、足場材２０を大引き材６の他端部に対して取付角度の調節ができるようにすることによって、足場材２０の上に設置された足場板１５の踏面を略水平に保つことができるようにするためのものである。また、作業員１４の転落防止のために、大引き材６の他端部には手摺柱１６と手摺材１７が取り付けられている。
【０１０２】
図１４に、本発明に係る大引き材の一例を示す。(a)は正面図、(b)は底面図、(c)は左側面図、そして、(d)はＡ−Ａ矢視断面図である。
【０１０３】
この大引き材６は断面矩形の管であって、その一端部の両側面には、それぞれ、接続板４１が溶接されている。大引き材６の一端部の両側面に溶接されてなる接続板４１には、それぞれ通し孔４２が穿たれている。なお、この２つの接続板４１はいずれも受け金具２１の内部に収容されたのち、受け金具２１に設けられた２つの斜め縦長孔５３と２つの接続板４１のそれぞれに穿たれた通し孔４２に、１個のＬピン（図示せず）を挿し通すことによって、大引き材６の一端部が浮き上がらないように受け金具２１に大引き材６が保持される。
【０１０４】
また、この大引き材６の一端部には、台座金具５６が横方向に溶接されている。なお、この台座金具５６を高さレベル調節金具５５の押し上げボルト２４の上面に差し込むことによって、大引き材６の一端部の高さレベルが調節される。
【０１０５】
また、この大引き材６の非端部には、取付金具１３が設けられており、ここに斜材７の上端部が取付角度自在に取り付けられる。
【０１０６】
さらに、この大引き材６の他端部（図では右端部）には、左から順に３組のＬピン通し孔６１と１組のボルト通し孔６２が穿たれている。なお、この大引き材６の他端部には、足場材２０が溶接によって接合された足場材取付金具５８が取り付けられる（図１２参照）。ここでは、この大引き材６の他端部に穿たれたボルト通し孔６２にボルトを通し、ナットで締め付けることによって、足場板取付金具５８を大引き材６の他端部に接続するとともに、３組のＬピン通し孔６１のうちの１組のＬピン通し孔を選択することによって、足場材２０を略水平に保つことができるので、その上に設置された足場板１５の踏面を略水平に保つことができる。したがって、橋梁が掛けられる道路等の断面傾斜が急である場合には、大引き材の端部に足場材を取付角度調節可能に連結し、この足場材の上に足場板を設置することによって、作業員の転落を防止し、その安全を図ることができる。
【０１０７】
図１５により、本発明に係る受け金具を用いて大引き材６の一端部をコンクリート製の主桁の上部フランジ部の下面に保持する際の手順を説明する。(a)は上面図、(b)は正面図、(c)は左側面図である。
【０１０８】
この受け金具２１は、断面がコの字形を有し、両側面にはそれぞれ、θ＝３０゜の斜め縦長孔５３が設けられている。そして、受け金具２１の上面には上部補強座金６０が溶接Ｗによって接合され、上部補強座金６０と受け金具２１の上面を貫く形で縦方向にボルト挿通孔３５が穿たれている。コンクリート製の主桁の上部フランジ部の下面に埋め込まれたインサートナットに、受け金具２１のボルト挿通孔３５を位置合わせした後、取り付けボルト２２をねじ締めすることによって、主桁に受け金具２１が固定される。
【０１０９】
なお、受け金具２１の内部に大引き材６の端部の両側面に溶接された接続板４１を収容した後、受け金具２１の両側面に設けられた斜め縦長孔５３と、大引き材６の端部の両側面に溶接された接続板４１のそれぞれに穿たれた通し孔（図示せず）に、１個のＬピン５４を挿し通すことによって、大引き材６の端部が浮き上がらないようにすることができた。
【０１１０】
また、この受け金具２１の下部には、断面がコの字形の高さレベル調節金具５５が溶接Ｗによって接合されている。そして、この高さレベル調節金具５５の下部の外側には下部補強座金５９が溶接Ｗによって接合され、下部補強座金５９と高さレベル調節金具５５の下部を貫く形で縦方向にボルト挿通孔３５が穿たれている。そして、高さレベル調節金具５５の下部の内側には固着ナット２３が固着され、この固着ナット２３に螺合されて上下移動可能な押し上げボルト２４を備えている。
【０１１１】
なお、この押し上げボルト２４の上面に大引き材６の端部に横方向に溶接された台座金具５６を差し込み、押し上げボルト２４を上下移動させることによって、大引き材６の端部の高さレベル調節を調整することができる。
【０１１２】
このように、大引き材の端部はコンクリート製の主桁の上部フランジ部の下面に密着させてボルトによって固定できる受け金具に取り付けられていることから、型枠の張り出し部にかかる荷重によって発生する外向きの水平力に対抗できるとともに、受け金具は上端が主桁のウェブ中心方向に傾斜してなる斜め縦長孔を有するから、大引き材の端部の跳ね上がりの発生を防止できることに加えて、縦方向に取り付けられるボルトの長さ方向にかかる引抜力を軽減させることができる。
【実施例２】
【０１１３】
図１６は、鋼製の主桁の外側に設置された、本発明に係る支保工の他の例（側面図）であり、図１７は図１６で示された大引き材の主桁側の端部近傍の一部拡大図である。
【０１１４】
受け金具２１は、鋼製の主桁１の上部フランジ１ｂの下面に、フランジ上面に配されるインサートナット５２に縦方向に取り付けボルト２２をねじ締めすることによって、密着するように固定されている。この受け金具２１の両側面には、上端が主桁のウェブ中心方向に傾斜してなる斜め縦長孔５３が、それぞれ設けられている。なお、斜め縦長孔５３の傾斜角度θは３０゜である。
【０１１５】
一方、コンクリート床版２の型枠の張り出し部３ａの下側には、根太材９を介して、大引き材６が配置されている。この大引き材６の端部の両側面には、それぞれ接続板４１が溶接されている。これらの接続板４１には、それぞれ通し孔（図示せず）が穿たれており、これらの接続板４１はいずれも受け金具２１の内部に収容されたのち、受け金具に設けられた斜め縦長孔５３と接続板４１に穿たれた通し孔に、１個のＬピン５４を挿し通すことによって、大引き材６の端部が浮き上がらないように受け金具２１に保持する。
【０１１６】
また、この受け金具２１の下部には、高さレベル調節金具５５が溶接されており、高さレベル調節金具５５の下部に固着された固着ナット２３と、この固着ナット２３に螺合されて上下移動可能な押し上げボルト２４を備えている。一方、この大引き材６の端部には、台座金具５６が横方向に溶接されており、この台座金具５６をこの押し上げボルト２４の上面に差し込むことによって、大引き材６の端部の高さレベル調節を調整することができる。
【０１１７】
そして、大引き材６の非端部には取付金具１３が設けられ、ここに長さ調節可能な斜材７の上端が取付角度自在に取り付けられている。この長さ調節可能な斜材７は、中空の外筒部材７ａとこの外筒部材の中にスライド可能に挿入される内筒部材７ｂから構成されており、両部材７ａ、７ｂに穿たれた孔からそれぞれ１個を選択し、ピン（図示せず）を貫通させて挿着して、両部材７ａ、７ｂの位置を固定することで長さ調節可能となっている。さらに、この斜材７はねじジャッキ３６を斜材７の途中に組み込んでおり、このねじジャッキ３６を操作することによっても長さ調節可能となっている。
【０１１８】
また、長さ調節可能な斜材７の下端には取付角度自在の取付金具１３が接続されている。そして、主桁１のウェブ１ａの下端部と下部フランジ１ｃとの隅部に取り付けボルト２２とナット２７によって、この取付金具１３を取付角度自在に固定することによって、大引き材６を下方から支えている。
【０１１９】
さらに、大引き材６の他端部には、足場材２０が足場材取付金具５８を介して連結されている。足場材２０の上には作業員１４が作業をするための足場板１５が設置されているが、この足場材取付金具５８は、足場材２０を大引き材６の他端部に対して取付角度の調節ができるようにすることによって、足場材２０の上に設置された足場板１５の踏面を略水平に保つことができるようにするためのものである。また、作業員１４の転落防止のために、大引き材６の他端部には手摺柱１６と手摺材１７が取り付けられている。
【０１２０】
この大引き材６は、実施例１で用いたものと同じである。すなわち、断面矩形の管であって、その一端部の両側面には、それぞれ、接続板４１が溶接されている。大引き材６の一端部の両側面に溶接されてなる接続板４１には、それぞれ通し孔４２が穿たれている。なお、この２つの接続板４１はいずれも受け金具２１の内部に収容されたのち、受け金具２１に設けられた２つの斜め縦長孔５３と２つの接続板４１のそれぞれに穿たれた通し孔４２に、１個のＬピン（図示せず）を挿し通すことによって、大引き材６の一端部が浮き上がらないように受け金具２１に大引き材６が保持される。また、この大引き材６の一端部には、台座金具５６が横方向に溶接されており、この台座金具５６を高さレベル調節金具５５の押し上げボルト２４の上面に差し込むことによって、大引き材６の一端部の高さレベルが調節される点、並びに、この大引き材６の非端部には、取付金具１３が設けられており、ここに斜材７の上端部が取付角度自在に取り付けられる点も、実施例１と同じである。
【０１２１】
さらに、この大引き材６の他端部には、３組のＬピン通し孔６１と１組のボルト通し孔６２が穿たれており、ここに足場材２０が溶接によって接合された足場材取付金具５８が、足場材２０を略水平に保つことができるので、その上に設置された足場板１５の踏面を略水平に保つことができる点も、実施例１と同じである。
【０１２２】
このように、大引き材の端部は鋼製の主桁の上部フランジ部の下面に密着させてボルトによって固定できる受け金具に取り付けられていることから、型枠の張り出し部にかかる荷重によって発生する外向きの水平力に対抗できるとともに、受け金具は上端が主桁のウェブ中心方向に傾斜してなる斜め縦長孔を有するから、大引き材の端部の跳ね上がりの発生を防止できることに加えて、アンカーボルトの位置と鉛直方向の荷重が作用する位置を偏芯させることにより、縦方向に取り付けられるボルトの長さ方向にかかる引抜力を軽減させることができる。
【産業上の利用可能性】
【０１２３】
本発明によれば、吊りチェーンと突っ張り材のいずれをも不要とする支保工を提供することができるから、容易に支保工の施工をすることができることに加えて、縦方向に取り付けられるボルトの長さ方向にかかる引抜力を軽減させることができる。また、必要に応じて作業員が作業する足場板の踏面を略水平に保持できるから、橋梁が掛けられる道路等の断面傾斜が急であっても、作業員の安全を図ることができる。
【図面の簡単な説明】
【０１２４】
【図１】従来例に係る橋梁のコンクリート床版の一例を示す断面図である。
【図２】主桁の外側に設置された、従来例に係る支保工の一例（側面図）である。
【図３】特許文献１において提案された、主桁の外側に設置された支保工の側面図である。
【図４】図３で示された特許文献１において提案された支保工の一部拡大図であり、固定構造として受け金具方式を採用したものである。
【図５】特許文献１において提案された他の実施形態にかかる支保工の一部拡大図であり、固定構造として、受け金具方式に代えて、吊りボルト方式を採用したものである。
【図６】受け金具の側板に縦長孔（θ＝０゜）を設けた場合の大引き材の端部の跳ね上がりの発生状況を示す。
【図７】受け金具の側板に縦長孔（θ＝３０゜）を設けた場合の大引き材の端部の跳ね上がりの発生状況を示す。
【図８】受け金具に掛かる水平荷重と鉛直荷重を示している。
【図９】アンカーボルトの位置と鉛直方向の荷重ＰＶが作用する位置が７５ｍｍ偏心している場合に、受け金具の斜め縦長孔に挿し通されたピンの節点に作用する水平方向の荷重ＰＨと鉛直方向の荷重ＰＶを示している。
【図１０】(a)が水平方向の荷重ＰＨについて、そして、(b)が鉛直方向の荷重ＰＶについて、それぞれ、アンカーボルトを基点として回転する方向を表す。
【図１１】アンカーボルトの位置と鉛直方向の荷重ＰＶが作用する位置が偏心していない場合に、受け金具の斜め縦長孔に挿し通されたピンの節点に作用する水平方向の荷重ＰＨと鉛直方向の荷重ＰＶを示している。
【図１２】コンクリート製の主桁の外側に設置された、本発明に係る支保工の一例（側面図）である。
【図１３】図１２で示された大引き材の主桁側の端部近傍の一部拡大図である。
【図１４】本発明に係る大引き材の一例を示す。(a)は正面図、(b)は底面図、(c)は左側面図、そして、(d)はＡ−Ａ矢視断面図である。
【図１５】本発明に係る受け金具を用いて大引き材の一端部をコンクリート製の主桁の上部フランジ部の下面に保持する際の手順を説明する。(a)は上面図、(b)は正面図、(c)は左側面図である。
【図１６】鋼製の主桁の外側に設置された、本発明に係る支保工の他の例（側面図）である。
【図１７】図１６で示された大引き材の主桁側の端部近傍の一部拡大図である。
【符号の説明】
【０１２５】
１  主桁
１ａ  主桁のウェブ部
１ｂ  主桁の上部フランジ部
１ｃ  主桁の下部フランジ部
２  コンクリート床版
３  型枠
３ａ  型枠の張り出し部
４  水平支保梁
５  パイプサポート
６  大引き材
６ａ  長さ調節可能な大引き材の外筒部材
６ｂ  長さ調節可能な大引き材の内筒部材
７  長さ調節可能な斜材
７ａ  長さ調節可能な斜材の外筒部材
７ｂ  長さ調節可能な斜材の内筒部材
８  吊りチェーン
９  根太材
１０  吊りボルト
１１  固定長さの斜材
１２  フランジ接続ピース
１３  取付金具
１４  作業員
１５  足場板
１６  手摺柱
１７  手摺材
１８  ブラケット
１９  補強杆
２０  足場材
２１  受け金具
２１ａ  取付基板
２１ｂ  台板
２１ｃ  側板
２２  取り付けボルト
２３  固着ナット
２４  押し上げボルト
２５  縦長孔
２６  通しボルト
２７  ナット
２９  取付基板のボルト挿通孔
３０  ウェブのボルト挿通孔
３１  シート材
３２  当て板
３３  突っ張り材
３４  吸着カップ
３５  ボルト挿通孔
３６  ねじジャッキ
３７  受けナット
３８  引張金具
３９  取付板
４１  接続板
４２  通し孔
５２  インサートナット
５３  斜め縦長孔
５４  Ｌピン
５５  高さレベル調整金具
５６  台座金具
５８  足場材取付金具
５９  下部補強座金
６０  上部補強座金
６１  足場材取付金具のＬピン通し孔
６２  足場材取付金具のボルト通し孔
Ｗ  溶接
【図１】
0005020163.tif 000002
【図２】
0005020163.tif 000003
【図３】
0005020163.tif 000004
【図４】
0005020163.tif 000005
【図５】
0005020163.tif 000006
【図６】
0005020163.tif 000007
【図７】
0005020163.tif 000008
【図８】
0005020163.tif 000009
【図９】
0005020163.tif 000010
【図１０】
0005020163.tif 000011
【図１１】
0005020163.tif 000012
【図１２】
0005020163.tif 000013
【図１３】
0005020163.tif 000014
【図１４】
0005020163.tif 000015
【図１５】
0005020163.tif 000016
【図１６】
0005020163.tif 000017
【図１７】
0005020163.tif 000018